(57)【要約】【課題】遊技機本体に対して前面枠を開閉可能に軸支するリンク機構の組付けを簡素化し、部品点数を減らして小型化、低コスト化を図りかつ前面枠の傾倒作業が安定して行なえる遊技機を提供する。【解決手段】前面枠５が所定位置まで開放されると、第２リンク部材１５と連結軸１６を通じて連繋する第１リンク部材１４が第１展開位置へ移動し、上ヒンジ部４ａにおける前面枠５の軸支が解除され、前面枠５が傾倒されると、第１リンク部材１４と第２リンク部材１５とが第１展開位置から更に展開する第２展開位置へ移動し、前面枠５が遊技機本体１１に対して下ヒンジ部４ｂを中心に前方へ所定量傾倒したまま支持される。【選択図】図７
2010148602.tif 000002
【特許請求の範囲】
【請求項１】
遊技機本体に対して前面枠が上下ヒンジ部を中心に開閉可能に軸支された遊技機であって、
前記遊技機本体に一端が回転可能に軸支された第１リンク部材と、前記前面枠に対して一端が回転可能に軸支された第２リンク部材と、前記第１リンク部材と第２リンク部材の他端どうしが連結軸により相対的に移動可能に連結され、各軸が鉛直方向に平行に配置されたリンク機構を備え、
前記リンク機構は、前記遊技機本体に前面枠を閉じた状態で第１リンク部材と第２リンク部材が重なり合う収納位置で保持されており、前記前面枠が所定位置まで開放されると、前記第２リンク部材と連結軸を通じて連繋する前記第１リンク部材が第１展開位置へ移動し、前記上ヒンジ部における前面枠の軸支が解除され、前記前面枠が傾倒されると、前記第１リンク部材と第２リンク部材とが第１展開位置から更に展開する第２展開位置へ移動し、前記前面枠が遊技機本体に対して下ヒンジ部を中心に前方へ所定量傾倒したまま支持されることを特徴とする遊技機。
【請求項２】
前記前面枠を傾倒させた際に、遊技機前方へ回転した第１リンク部材の展開方向及び逆方向の移動を規制する規制手段が前記遊技機本体側に設けられている請求項１記載の遊技機。
【請求項３】
前記リンク機構は、前記第１リンク部材の他端側に設けられた長孔に連結軸を通じて前記第２リンク部材が回転かつ移動可能に接続され、前記第１リンク部材に設けられた第１連結部と第２リンク部材に設けられた第２連結部とがコイルばねにより常時引き寄せられるように連結されている請求項１又は２記載の遊技機。
【請求項４】
前記リンク機構は、第１展開位置において前記連結軸が長孔の先端側孔端へ係止しており、前記遊技機本体より前面枠を傾倒させて前記第１，第２リンク部材を更に直列状に展開する第２展開位置において、前記連結軸がコイルばねの付勢により長孔の先端側孔端より軸部側孔端へ移動して係止し、前記第２リンク部材が第１リンク部材と直列状に重なりかつ第１連結部に当接して回り止めされる請求項３記載の遊技機。
【請求項５】
前記リンク機構は、遊技機本体側に着脱可能に固定される本体ベース部に第１リンク部材の一端側が回転可能に軸支されたユニットに形成されている請求項１乃至５のいずれか１項記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に支持されている。
【０００３】
遊技機本体（内枠）に支持された遊技盤のメンテナンス、特にヒンジ側の盤面部品のメンテナンスやヒンジ側の釘調整等を行なう際に前面枠を開放して作業を行なうが、隣接する遊技機との関係上、前面枠の開放角度が限られており、前面枠が邪魔になり作業が行ない難い。現状では、前面枠を取り外して作業を行なっているため、作業に手間取り重労働となっている。このため、前面枠を遊技機本体から開放すると共に上ヒンジ部を取外して、リンク結合による伸縮型ヒンジ装置を用いて前面枠を前面側へ傾倒させる遊技機が提案されている。
【０００４】
具体的には、伸縮型ヒンジ装置は、遊技機本体に連繋するリンク部材と、前面枠に結合部材を介して連繋するリンク部材どうしが連結軸を介して連結されている。リンク部材どうしは連結軸に圧縮コイルばねが巻かれたまま折り畳まれて連繋し、遊技機本体側に設けられたロック機構により、折り畳まれた状態を維持するようになっている。前面枠が遊技機本体から開放され、前面枠の遊技機本体側の上ヒンジ部との連繋が外されロック機構が解除されると、前面枠は遊技本体の前方側へ倒れようとする。このとき、結合部材を介してリンク部材どうしを圧縮コイルばねの開き角度を超えて直列状に展開させて前面枠が下ヒンジ部を中心に手前側へ傾倒し、傾倒した前面枠と遊技機本体との間に形成される作業スペースを利用してメンテナンス作業が行なえるようになっている（特許文献１参照）。
【特許文献１】特開２００８−４９００１号公報
【発明の開示】
【発明が解決しようとする課題】
【０００５】
上述した特許文献１の遊技機においては、伸縮型ヒンジ装置は、複数のリンク部材を折り畳まれた状態で保持するロック機構やリンク部材どうしを連結する連結軸に巻かれた圧縮コイルばねや、リンク部材と前面枠との連結を位置するロック部材など多数の部品を要するため、組付け工数が嵩むうえに製造コストが上昇する。また、複数リンクどうしの連結軸に加わる負荷を軽減するため圧縮コイルばねが必要になり、かかるばねの付勢力に抗してリンク部材を折り畳まなければならず、傾倒した前面枠を元に戻す際の作業負荷も増大する。
【０００６】
本発明の目的は、上記従来技術の課題を解決し、遊技機本体に対して前面枠を開閉可能に軸支するリンク機構の組付けを簡素化し、部品点数を減らして小型化、低コスト化を図りかつ前面枠の傾倒作業が安定して行なえる遊技機を提供することにある。
【課題を解決するための手段】
【０００７】
本発明は上記目的を達成するため、次の構成を備えることを特徴とする。
遊技機本体に対して前面枠が上下ヒンジ部を中心に開閉可能に軸支された遊技機であって、前記遊技機本体に一端が回転可能に軸支された第１リンク部材と、前記前面枠に対して一端が回転可能に軸支された第２リンク部材と、前記第１リンク部材と第２リンク部材の他端どうしが連結軸により相対的に移動可能に連結され、各軸が鉛直方向に平行に配置されたリンク機構を備え、前記リンク機構は、前記遊技機本体に前面枠を閉じた状態で第１リンク部材と第２リンク部材が重なり合う収納位置で保持されており、前記前面枠が所定位置まで開放されると、前記第２リンク部材と連結軸を通じて連繋する前記第１リンク部材が第１展開位置へ移動し、前記上ヒンジ部における前面枠の軸支が解除され、前記前面枠が傾倒されると、前記第１リンク部材と第２リンク部材とが第１展開位置から更に展開する第２展開位置へ移動し、前記前面枠が遊技機本体に対して下ヒンジ部を中心に前方へ所定量傾倒したまま支持されることを特徴とする。
ここで、遊技機本体とは、遊技機前面を覆う窓部が形成された前面枠を除く部位、例えば外枠、内枠、遊技盤などを含む部位をいうものとする。
【０００８】
また、前記前面枠を傾倒させた際に、遊技機前方へ回転した第１リンク部材の展開方向及び逆方向の移動を規制する規制手段が前記遊技機本体側に設けられていることを特徴とする。
【０００９】
また、前記リンク機構は、前記第１リンク部材の他端側に設けられた長孔に連結軸を通じて前記第２リンク部材が回転かつ移動可能に接続され、前記第１リンク部材に設けられた第１連結部と第２リンク部材に設けられた第２連結部とがコイルばねにより常時引き寄せられるように連結されていることを特徴とする。
【００１０】
また、前記リンク機構は、第１展開位置において前記連結軸が長孔の先端側孔端へ係止しており、前記遊技機本体より前面枠を傾倒させて前記第１，第２リンク部材を更に直列状に展開する第２展開位置において、前記連結軸がコイルばねの付勢により長孔の先端側孔端より軸部側孔端へ移動して係止し、前記第２リンク部材が第１リンク部材と直列状に重なりかつ第１連結部に当接して回り止めされることを特徴とする。
【００１１】
また、前記リンク機構は、遊技機本体側に着脱可能に固定される本体ベース部に第１リンク部材の一端側が回転可能に軸支されたユニットに形成されていることを特徴とする。
【発明の効果】
【００１２】
上述した遊技機を用いれば、リンク機構は、前面枠が所定位置まで開放されると、前記第２リンク部材と連結軸を通じて連繋する前記第１リンク部材が第１展開位置へ移動し、上ヒンジ部における前面枠の軸支が解除され、前面枠が傾倒されると、第１リンク部材と第２リンク部材とが第１展開位置から更に展開する第２展開位置へ移動し、前面枠が遊技機本体に対して下ヒンジ部を中心に前方へ所定量傾倒してまま支持される。
よって、遊技機本体に対して前面枠を所定位置へ開放する開放動作と当該前面枠を下ヒンジ部を中心として傾倒させる傾倒動作を、一のリンク機構を用いて実現できるので、リンク機構の構成を簡略化でき、部品点数も少なく収納スペースも要さないため小型化することができる。また、リンク機構の組付けを簡素化し、部品点数を減らして低コストを図ることもできる。
また、前面枠と遊技機本体、遊技機本体と第１リンク部材、第１リンク部材と第２リンク部材、第２リンク部材と前面枠とが各々回転可能に軸支されている各軸部が鉛直方向に平行に配置されているので、リンク機構が収納位置から第１展開位置への移動、第１展開位置から第２展開位置への移動がスムーズに行なえる。
【００１３】
また、前面枠を傾倒させた際に、遊技機前方へ回転した第１リンク部材の展開方向及び逆方向の移動を規制する規制手段が遊技機本体側に設けられていると、遊技機本体から前面枠を傾倒させたままリンク機構が回転するのを防ぐことができる。よって、前面枠を傾倒姿勢のまま安定した状態を維持しつつ、遊技盤のメンテナンス作業を行なうことができる。
【００１４】
また、リンク機構は、第１リンク部材の他端側に設けられた長孔に連結軸を通じて第２リンク部材が回転かつ移動可能に接続され、第１リンク部材に設けられた第１連結部と第２リンク部材に設けられた第２連結部とがコイルばねにより常時引き寄せられるように連結されている。これにより、リンク機構が収納位置において、格別なロック機構を設けなくとも、コイルばねによって第１リンク部材と第２リンク部材が重なり合うよう折り畳まれた状態でコンパクトに収納できる。
【００１５】
また、遊技機本体より前面枠を傾倒させて第１，第２リンク部材を更に直列状に展開する第２展開位置（第１連結部と第２連結部とが連結軸を跨いで直列状に配置される位置）において、連結軸がコイルばねの付勢により長孔の先端側孔端より軸部側孔端へ移動して係止することにより第２リンク部材が第１リンク部材と直列状に重なりかつ第１連結部に当接して回り止めされる。これにより、リンク機構が伸長した状態で回転規制される第１リンク部材に対して第２リンク部材の姿勢が安定し、前面枠を安定した傾倒姿勢で支持することができる。
【００１６】
また、リンク機構は、遊技機本体側に着脱可能に固定される本体ベース部に第１リンク部材の一端側が回転可能に軸支されたユニットに形成されていると、遊技機本体への組み付け作業を簡略化することができる。
【発明を実施するための最良の形態】
【００１７】
以下、本発明の実施形態について図面を参照しながら具体的に説明する。
図１及び図３を参照して本実施形態に係る遊技機の概略構成について説明する。本実施例としては、遊技機の一例としてパチンコ機について説明するものとする。
【００１８】
先ずパチンコ機１の概略構成について説明すると、パチンコ機１の外形をなす矩形状の外枠２の側部に対して上下ヒンジ部（図示せず）により内枠３が開閉可能に取り付けられ、該内枠３の側部に対して上下ヒンジ部４ａ，４ｂにより前面枠（ガラス枠）５が開閉可能に取り付けられている。
【００１９】
図３において、内枠３の前面側には遊技盤６が組み付けられている。また遊技盤６の下方には遊技領域へ向かって遊技球を発射する球発射装置７が組み付けられている。また、遊技盤６には、図柄表示装置（液晶表示装置；図示せず），入賞装置（図示せず）等が設けられている。
【００２０】
また、図１において、前面枠５の下方には貸球や賞球等の遊技球を一時的に貯留し、該遊技球を球発射装置７（図３参照）へ誘導する球受け皿８が組み付けられている。球受け皿８の前面には貯留した遊技球を図示しないドル箱に排出させるためシャッターを開閉する球抜きレバー８ａが設けられている。球受け皿８の右側には、球発射装置７によって遊技領域へ発射される遊技球の発射力を調節するための発射ハンドル９が設けられている。内枠３の背面側上部には貯留タンク１０が設けられ、貯留タンク１０にはパチンコ機１が配置されたホールの島から遊技球が供給される。
【００２１】
ここで、遊技機本体（パチンコ機本体）１１と前面枠５との組み付け構造について説明する。ここで、パチンコ機本体１１とは、遊技機前面を覆う窓部が形成された前面枠５を除く部位、例えば外枠２、内枠３、遊技盤６などを含む部位をいう。
【００２２】
図４において、内枠３（パチンコ機本体１１）の上ヒンジ部４ａには軸孔４ｃが形成されている。また、上ヒンジ部４ａと対向する前面枠５の上部に設けられた上板５ｄには軸孔５ｃが形成されており、該軸孔５ｃより上嵌合ピン５ａが突設されている。
また、上嵌合ピン５ａは、下部に弾装されたコイルばね５ｂにより常時上方に向けて付勢され、上ヒンジ部４ａの軸孔４ｃに嵌め込まれている。上嵌合ピン５ａは、ピン外装部が上板５ｄの下面に突き当たることで突出量が規制されている。上嵌合ピン５ａにはレバー５ｅが前面枠５の背面側に向けて突設されている（図３参照）。上嵌合ピン５ａはレバー５ｅをコイルばね５ｂの付勢に抗して押し下げることにより、上ヒンジ部４ａの軸孔４ｃより外すことができる。
【００２３】
内枠３（パチンコ機本体１１）の下ヒンジ部４ｂは、前面枠５の下部に設けられた図示しない下嵌合ピンが下ヒンジ部４ｂ（図３参照）の図示しない軸孔に嵌め込まれて支持されている。図３において、前面枠５は、上ヒンジ部４ａの軸孔４ｃに上嵌合ピン５ａを嵌合させ、下嵌合ピンを軸孔に嵌め込んだ状態で、上下ヒンジ部４ａ，４ｂを通過する回転軸を中心にパチンコ機本体１１に対して開閉可能に軸支されている。
【００２４】
次に、パチンコ機本体１１に対して開閉可能に軸支された前面枠５のリンク機構１２の構成について図２及び図３を参照して説明する。リンク機構１２は、パチンコ機本体１１と該パチンコ機本体１１に対して開閉可能に軸支された前面枠５との間に設けられている。
【００２５】
図３において、パチンコ機本体１１、本実施例では遊技盤６の遊技盤レール６ａより外側であって、上ヒンジ部４ａに近い左上部には遊技盤６が切り欠かれて内枠３の一部が露出している。この露出した内枠３の部位に、本体ベース部１３が設けられている。
【００２６】
図２（ａ）において、本体ベース部１３に第１リンク部材１４の一端が軸部１４ａにて回転可能に連結されている。本体ベース部１３には、第１リンク部材１４の時計回り方向（前面枠５の開方向）への回転を規制するストッパー１３ａが設けられている。また、前面枠５の背面側には、図３及び図５に示すように上端部がＬ字状に折り曲げられた係止フック５ｆが突設されている。第２リンク部材１５の一端に設けられた係止孔１５ａが、係止フック５ｆと上下方向のクリアランスを保って係止している。係止孔１５ａは、リンク端に近い側から小径孔とそれより径大な長孔が連続して形成されている。また、図２において第１リンク部材１４と第２リンク部材１５の他端どうしが連結軸１６により相対的に移動可能に連結されている。
【００２７】
具体的には、図２（ａ）に示すように第１リンク部材１４の他端側に設けられた長孔１８に連結軸１６を通じて第２リンク部材１５が回転かつスライド可能に連繋している。長孔１８は、第１リンク部材１４の他端側に向って孔端１８ａより孔端１８ｂが右斜め上方に位置するよう傾いて形成されている。連結軸１６は第１リンク部材１４の下面側から長孔１８を挿通して第２リンク部材１５に嵌め込まれており、第１リンク部材１４の下面側で抜け止めされている。第１リンク部材１４に設けられた第１連結部（ボス部）１４ｂと第２リンク部材１５に設けられた第２連結部（ボス部）１５ｂとはコイルばね（付勢手段）１７により連結されている。コイルばね１７は、第１連結部１４ｂと第２連結部１５ｂとを常時引き寄せるように付勢している。これにより、リンク機構１２が収納位置において、格別なロック機構を設けなくとも、コイルばね１７によって第１リンク部材１４と第２リンク部材１５が重なり合うよう折り畳まれた状態でコンパクトに収納できる。
またコイルばね１７は、後述するように、パチンコ機本体１１に対する前面枠５の開閉動作若しくは傾倒動作に際して連結軸１６を長孔１８のいずれか一方側の孔端（先端側孔端１８ｂ若しくは軸部側孔端１８ａ）へ向けて付勢する。
【００２８】
図２（ａ）において、リンク機構１２は、パチンコ機本体１１に対して前面枠５を閉じた状態で第１リンク部材１４と第２リンク部材１５が重なり合う収納位置で保持されている。このとき連結軸１６は長孔１８のうち第１リンク部材１４の孔端１８ｂへ係止するよう付勢されている。
【００２９】
図２（ｂ）において、本体ベース部１３には、規制ピン（規制手段）１９が突没可能に設けられている。規制ピン１９は、コイルばね１９ａにより常時上方に付勢されている。規制ピン１９にはレバー１９ｂが設けられており、該レバー１９ｂの下方への操作により規制ピン１９をコイルばね１９ａの付勢に抗して第１リンク部材１４の回転面より押し下げた位置と当該回転面に突出した位置とで手動により切り替えられるようになっている。規制ピン１９は、後述するように、前面枠５を傾倒させた際に、パチンコ機１の前方へ回転した第１リンク部材１４の展開方向と逆方向（前面枠５の閉方向）の移動を規制する。
【００３０】
次に、前面枠５のパチンコ機本体１１に対する開閉動作と傾倒動作におけるリンク機構１２の動作について説明する。
図１において前面枠５が閉じた状態から、図３に示す前面枠５を所定位置（パチンコ機本体１１に対して概ね９０度回転した位置）へ回転させて遊技盤６の前方を開放する。このとき、リンク機構１２は、図２に示す収納位置から第１，第２リンク部材１４，１５が図５に示す第１展開位置へ移動する。具体的には、前面枠５の係止フック５ｆに連結孔１５ａにより連繋する第２リンク部材１５が前面枠５の上下ヒンジ部４ａ，４ｂを中心とする回転動作によって連れ動き、連結軸１６により連繋する第１リンク部材１４が軸部１４ａを中心に時計回り方向（前面枠５の開方向）へ所定角度回転する。
【００３１】
このとき、コイルばね１７は、図２の状態よりさらに引き伸ばされ、連結軸１６を長孔１８の孔端１８ｂに押し当てた状態にある。即ちコイルばね１７の弾性力により連結軸１６が当接する長孔１８の壁面において作用する接触力の図上における水平分力の大きさが垂直分力より大きくなるため、連結軸１６が長孔１８のうち第１リンク部材１４の孔端１８ｂへ係止している。
【００３２】
次に、図６において、レバー５ｅ（図３参照）をコイルばね５ｂの付勢に抗して押し下げることにより、上嵌合ピン５ａを上ヒンジ部４ａの軸孔４ｃより外す。
【００３３】
次いで、図７に示すように、前面枠５を下ヒンジ部４ｂと嵌合する下嵌合ピン（図示せず）を中心に手前側へ回転させる。このとき、リンク機構１２が第１展開位置から第１リンク部材１４と第２リンク部材１５が更に直列状に相対的に変位する第２展開位置へ移動し、前面枠５がパチンコ機本体１１に対して下ヒンジ部を中心に前方に所定量傾倒したまま支持される。
【００３４】
具体的には、図８において、上嵌合ピン５ａを上ヒンジ部４ａより外し、第２リンク部材１５が係止フック５ｆに係止したまま前面枠５をパチンコ機本体１１の前方側（図８の左手側）へ傾倒させる。このとき、係止フック５ｆは、傾倒動作により係止孔１５ａ内で第２リンク部材１５に近づこうとするが、上下方向のクリアランスによってその移動量が吸収されるので、第２リンク部材１５が係止フック５ｆに当接して負荷をかけることがない。また、このとき図９（ａ）において、第２リンク部材１５は、コイルばね１７の弾性力に抗して更に前方に引っ張られ、連結軸１６を介して連繋する第１リンク部材１４が収納位置より略９０度回転して本体ベース部１３のストッパー１３ａに当接して時計回り方向（前面枠５の開方向）への回転が規制される。第１リンク部材１４は遊技盤６に対して前方に起立する位置で回転が停止する。
【００３５】
一方、第２リンク部材１５は、前面枠５の傾きに応じて前方に引かれて第１リンク部材１４に対して連結軸１６を介して直列に接続される位置（第１連結部１４ｂと第２連結部１５ｂとが連結軸１６を跨いで直列状に配置される位置）まで移動する。このとき、コイルばね１７の伸びも増大して図上において連結軸１６が当接する長孔１８の壁面に作用する接触力のうち遊技盤６に向う鉛直方向の分力の大きさが水平分力にくらべて増大する。このため、連結軸１６がコイルばね１７の引っ張り力に負けて長孔１８の先端側孔端１８ｂから軸部側孔端１８ａへ移動して係止する。これにより、第２リンク部材１５が第１リンク部材１４と直列状に重なりかつ第１連結部１４ｂに当接して回り止めされる。
【００３６】
尚、このとき、図９（ａ）に示すように、長孔１８において連結軸１６が第１連結部１４ｂよりパチンコ機本体１１側に離れた孔端１８ａに係止して移動を規制され、第２連結部１５ｂがコイルばね１７により第１連結部１４ｂに向って引っ張られている。このため、第２リンク部材１５は、連結軸１６を中心として反時計回り方向（前面枠５の閉方向）に回転しようとする。これにより、第２リンク部材１５が第１リンク部材１４に対して直列に重なり合う位置から若干傾いた状態で第１連結部１４ｂと当接し、回り止めされる。
【００３７】
このように、パチンコ機本体１１に対して前面枠５を所定位置へ開放する開放動作と当該前面枠５を下ヒンジ部４ｂを中心として傾倒させる傾倒動作を、一のリンク機構１２を用いて実現できるので、リンク機構１２の構成を簡略化でき、部品点数も少なく収納スペースも要さないため小型化することができる。また、リンク機構１２の組付けを簡素化し、部品点数を減らして低コストを図ることもできる。
【００３８】
また、前面枠５を傾倒した状態で、伸長したリンク機構１２の軸部１４ａを中心とする時計回り方向（前面枠５の開方向）の回転はストッパー１３ａにより規制されるが、反時計回り方向（前面枠５の閉方向）の回転は規制されていない。
【００３９】
そこで、図９（ｂ）において、レバー１９ｂを操作して規制ピン１９を第１リンク部材１４の回転面より突出した位置へ切り替える。これによって、第１リンク部材１４の反時計回り方向（前面枠５の閉方向）の回転が規制される。
よって、図１０に示すように前面枠５をパチンコ機本体１１より前方に傾倒させたまま時計回り方向及び反時計回り方向（前面枠５の開方向及び閉方向）の回転を規制し、前面枠５を傾倒姿勢のまま安定した状態を維持しつつ、遊技盤６のメンテナンス作業を行なうことができる。
【００４０】
図１０において、前面枠５をパチンコ機本体１１に閉じる場合には、先ずレバー１９ｂを操作して規制ピン１９ｂを第１リンク部材１４の回転面より押し下げる。次いで傾倒した前面枠５を下ヒンジ部４ｂを中心に回転させてレバー５ｅを操作して上嵌合ピン５ａを上ヒンジ部４ａの軸孔４ｃに嵌めこむ。これにより、伸長していたリンク機構１２が第２展開位置から第１展開位置まで折り畳まれる（図５参照）。そして、図３において前面枠５を上下ヒンジ部４ａ，４ｂを中心に反時計回り方向（前面枠５の閉方向）へ回転させてパチンコ機本体１１に重ね合わせるまで回転させて図示しないロック機構によって施錠されて組み付けられる（図１参照）。
【００４１】
上述した実施形態は、遊技機の一例としてパチンコ機について説明したが、他の遊技機、例えば雀球遊技機やアレンジボール遊技機などに適用してもよい。
【図面の簡単な説明】
【００４２】
【図１】パチンコ機の斜視図である。
【図２】図１のパチンコ機のリンク機構の平面図及び正面図である。
【図３】前面枠を遊技機本体から開放した状態の斜視図である。
【図４】図３における遊技機本体と前面枠との連結構造を示す部分拡大図である。
【図５】図３のパチンコ機のリンク機構の平面図である。
【図６】前面枠と遊技機本体の上ヒンジ部の係合を外した状態の前面枠の背面側上部の部分拡大図である。
【図７】前面枠を遊技機本体より傾倒させた状態を示す斜視図である。
【図８】図７における前面枠の背面側上部の部分拡大図である。
【図９】図７のパチンコ機のリンク機構の平面図及び本体ベース部を正面視した一部断面説明図である。
【図１０】前面枠を遊技機本体より傾倒させた状態を示すリンク機構の斜視説明図である。
【符号の説明】
【００４３】
１  パチンコ機
２  外枠
３  内枠
４ａ  上ヒンジ部
４ｂ  下ヒンジ部
４ｃ  軸孔
５  前面枠
５ａ  上嵌合ピン
５ｂ  コイルばね  
５ｃ  軸孔  
５ｄ  上板  
５ｅ，１９ｂ  レバー  
５ｆ  係止フック部
６  遊技盤
６ａ  遊技盤レール
７  球発射装置
８  球受け皿
９  発射ハンドル
１０  貯留タンク
１１  パチンコ機本体  
１２  リンク機構  
１３  本体ベース部  
１３ａ  ストッパー  
１４  第１リンク部材  
１４ａ  軸部  
１４ｂ  第１連結部  
１５  第２リンク部材  
１５ａ  係止孔  
１５ｂ  第２連結部  
１６  連結軸  
１７，１９ａ  コイルばね  
１８  長孔  
１８ａ，１８ｂ  孔端  
１９  規制ピン
【図１】
2010148602.tif 000003
【図２】
2010148602.tif 000004
【図３】
2010148602.tif 000005
【図４】
2010148602.tif 000006
【図５】
2010148602.tif 000007
【図６】
2010148602.tif 000008
【図７】
2010148602.tif 000009
【図８】
2010148602.tif 000010
【図９】
2010148602.tif 000011
【図１０】
2010148602.tif 000012